(57)【要約】【課題】給湯器システムにおいてリモコンの最適な音量設定を実現し利便性の向上を図ることを目的とする。【解決手段】給湯器本体と、給湯器本体を遠隔操作するための少なくとも二つのリモコンとを備え、通信接続された二のリモコンの一方と他方とがそれぞれマイクとスピーカを備え、これらリモコン間でマイクとスピーカを用いて音声通話ができるように構成された給湯器システムであって、一方のリモコンは、外部の通信端末との間で通信を行う通信部と、通信部により、通信端末から通信を介して受信した音声信号を増幅し、スピーカに出力する増幅器と、スピーカにより出力された後にマイクに入力された音の音量を検出する音量検出部と、を備え、音量検出部により検出された音量と所定の閾値とを比較した値に基づいて、スピーカの音量を調整する、給湯器システム。【選択図】図３
2017026253.tif 000002
【特許請求の範囲】
【請求項１】
給湯器本体と、前記給湯器本体を遠隔操作するための少なくとも二のリモートコントローラとを備え、通信接続された前記二のリモートコントローラの一方と他方とがそれぞれマイクロフォンとスピーカを備え、これらリモートコントローラ間で前記マイクロフォンと前記スピーカを用いて音声通話ができるように構成された給湯器システムであって、
前記一方のリモートコントローラは、
外部の通信端末との間で通信を行うように構成された通信部と、
前記通信部により、前記通信端末から通信を介して受信した音声信号を増幅し、前記スピーカに出力する増幅器と、
前記スピーカにより出力された後に前記マイクロフォンに入力された音の音量を検出する音量検出部と、を備え、
前記音量検出部により、検出された音量と所定の閾値とを比較し、前記比較した値に基づいて、前記スピーカの音量を調整する、給湯器システム。
【請求項２】
前記一方のリモートコントローラは、前記通信部が前記音声信号を受信したときに、前記スピーカからの音声出力処理と、前記音量検出部での音量検出処理と、検出された音量と前記閾値との比較処理と、を順次実行する、請求項１に記載の給湯器システム。
【請求項３】
前記一方のリモートコントローラは、前記音量検出部により検出された音量と所定の閾値とを比較した値に基づいて、前記通信端末に対し、音量を調整させるための音量調整信号を出力するよう構成されており、
前記音量調整信号を出力した後、前記音量検出部で検出される音量が、前記閾値以下となるまで、前記音声出力処理と、前記音量検出処理と、前記比較処理と、を繰り返し実行する、請求項２に記載の給湯器システム。
【請求項４】
前記一方のリモートコントローラは、浴室に設置される、請求項１乃至３のいずれかに記載の給湯器システム。
【発明の詳細な説明】
【技術分野】
【０００１】
本発明は、給湯器システムに関する。
【背景技術】
【０００２】
従来、給湯器システムは、給湯器本体と、給湯器本体を遠隔操作するためのリモートコントローラ（以下、リモコンともいう）とを備える。このような給湯器システムでは、通信接続された二のリモコンの一方と他方とがそれぞれマイクロフォンとスピーカを備え、これらリモコン間でマイクロフォンとスピーカを用いて音声通話ができるように構成されている。
【０００３】
最近では、より利便性の高い給湯器システムが提案されている。例えば、特許文献１には、一方のリモコンに有線で接続した音楽再生装置から出力されるオーディオ信号を他方のリモコンのスピーカから出力できるようにしたリモコンシステムが開示されている。一方、特許文献２には、リモコンが、移動可能な通信端末からの無線信号を受信する技術が記載されている。このように、給湯器のリモコンは有線又は無線により種々の通信端末と接続可能である。
【先行技術文献】
【特許文献】
【０００４】
【特許文献１】特開２０１３−１２９７１号公報
【特許文献２】特開２００７−１７０７６７号公報
【発明の概要】
【発明が解決しようとする課題】
【０００５】
上記の通り、従来の給湯器のリモコンには音楽プレーヤとして種々の通信端末が接続可能であるため、リモコンのスピーカで出力される音量の初期値が音楽プレーヤ毎に異なる。このため、プレーヤの機種によっては、初めてリモコンに接続したときにリモコンのスピーカから大音量が出力される場合、又は音量が小さすぎて聞き取れない場合がある。その結果、利用者が不快な思いをしてしまうという問題がある。
そこで、本発明では、給湯器システムにおいてリモコンの最適な音量設定を実現し利便性の向上を図ることを目的とする。
【課題を解決するための手段】
【０００６】
本発明の一態様に係る、給湯器システムは、給湯器本体と、前記給湯器本体を遠隔操作するための少なくとも二のリモートコントローラとを備え、通信接続された前記二のリモートコントローラの一方と他方とがそれぞれマイクロフォンとスピーカを備え、これらリモートコントローラ間で前記マイクロフォンと前記スピーカを用いて音声通話ができるように構成された給湯器システムであって、前記一方のリモートコントローラは、外部の通信端末との間で通信を行う通信部と、前記通信部により、前記通信端末から通信を介して受信した音声信号を増幅し、前記スピーカに出力する増幅器と、前記スピーカにより出力された後に前記マイクロフォンに入力された音の音量を検出する音量検出部と、を備え、前記音量検出部により検出された音量と所定の閾値とを比較した値に基づいて、前記スピーカの音量を調整する。
【０００７】
この構成によれば、通信（例えば近距離無線通信）を介して、外部の通信端末で送信された音声信号（オーディオ信号）がリモコンのスピーカから出力される。このとき、リモコンのマイクロフォンに入力された音の音量と所定の閾値とを比較した値に基づいて、スピーカの音量を調整する。例えば音量が所定の閾値を超える場合はスピーカの音量を下げる。このとき、通信制御により、通信端末から送信される音声信号の音量レベルを下げることにより、スピーカ音量を間接的に下げてもよいし、スピーカの増幅器のゲインを調整して音量を直接下げてもよい。つまり、リモコンから大音量が出力される等した場合でもスピーカ音量を自動的に調整することができ、利用者が不快な思いを感じるのが軽減される。
【０００８】
また、マイクロフォンに入力された音に基づいて音量調整を行うので、音波が反響し易い浴室等にリモコンが設置されている場合であっても、スピーカからの音及びその反響音を正確に拾うことができる。
【０００９】
また、音声通話機能を備えたリモコンのマイクロフォンとスピーカを利用することにより、新たな部品を追加することなく、より簡単な構成で実現できるので、製造コストを抑制できる。尚、通信方法は、無線通信に限定されず、有線通信でもよい。
【００１０】
前記一方のリモートコントローラは、前記通信部が前記音声信号を受信したときに、前記スピーカからの音出力処理と、前記音量検出部での音量検出処理と、検出された音量と前記閾値との比較処理と、を順次実行してもよい。
この構成によれば、リモコンが外部の通信端末から音声信号を受信したことをトリガとして、上記音量調整処理を好適に実現できる。
【００１１】
前記一方のリモートコントローラは、前記音量検出部により検出された音量と所定の閾値とを比較した値に基づいて、前記通信端末に対し、音量を調整させるための音量調整信号を出力するよう構成されており、前記音量調整信号を出力した後、前記音量検出部で検出される音量が、前記閾値以下となるまで、前記音声出力処理と、前記音量検出処理と、前記比較処理と、を繰り返し実行してもよい。
【００１２】
この構成によれば、リモコンのマイクロフォンで検出される音量が閾値以下となるまで、上記処理が実行されるので、リモコンのスピーカ音量を確実に抑制できる。
前記一方のリモートコントローラは、浴室に設置されてもよい。
この構成によれば、利用者が浴室に入る前にリモコンスピーカの音量調整が実行され、利用者が不快な思いを感じるのが軽減される。
【発明の効果】
【００１３】
本発明によれば、給湯器システムにおいてリモコンの最適な音量設定を実現し利便性の向上を図ることができる。
【図面の簡単な説明】
【００１４】
【図１】図１は、本発明の実施形態の給湯器システムの一例を示す概要図である。
【図２】図２は、給湯器本体の通信に関連する部分の回路のブロックダイアグラムの一例である。
【図３】図３は、浴室リモコンの回路のブロックダイアグラムの一例である。
【図４】図４は、音楽端末の回路のブロックダイアグラムの一例である。
【図５】図５は、浴室リモコンの音楽再生処理の流れを示すフローチャートである。
【発明を実施するための形態】
【００１５】
以下、好ましい実施の形態を、図面を参照しながら説明する。なお、以下では全ての図面を通じて同一又は相当する要素には同一の参照符号を付して、その重複する説明を省略する。また、本発明は、以下の実施形態に限定されない。
【００１６】
（実施形態）
図１は、本発明の実施形態の給湯器システムの一例を示す概要図である。図１に示すように、給湯器システム１００は、給湯器本体１と、給湯器本体１を遠隔操作するための浴室リモコン２及び台所リモコン３とを有して構成されている。これらの浴室リモコン２と台所リモコン３は、給湯器本体１を介して通信接続されている。具体的には、各リモコン２，３に接続される２芯の通信ケーブル４が給湯器本体１の端子台（図示せず）などを介して相互接続されることにより、浴室リモコン２と台所リモコン３は通信接続されている。
【００１７】
給湯器本体１は、屋外または屋内の所定の場所に設置され、台所や浴槽等に湯水を供給する給湯機能や風呂の追い焚き機能を備えている。また、床暖房等の温水暖房機能を備えていてもよい。給湯器本体１は、例えば、熱交換器、ガス又は灯油を燃料として熱交換器を加熱する燃焼装置、熱交換器等に接続されている湯水の流路となる配管、燃料配管及び各種センサ等が筐体内に収納されて構成されている。
【００１８】
浴室リモコン２は、浴室２Ａに設置され、給湯器本体１を遠隔操作する機能と、台所リモコン３との間で通話を行える音声通話機能と、この音声通話機能を利用して、浴室リモコン２に通信接続された音楽端末（本発明の「通信端末」に相当）５から出力されるオーディオ信号を浴室リモコン２のスピーカを通じて出力できるＢＧＭ機能とを有している。
【００１９】
台所リモコン３は、台所３Ａに設置され、給湯器本体１を遠隔操作する機能と、浴室リモコン２との間で通話を行える音声通話機能と、この音声通話機能を利用して、台所リモコン３に通信接続された音楽端末（図示せず）から出力されるオーディオ信号を台所リモコン３のスピーカを通じて出力できるＢＧＭ機能とを有している。ここでは、２つのリモコン２，３を例示しているが、これらと同様の機能を有するリモコンが３つ以上備えられていてもよい。
【００２０】
音楽端末５は、浴室外の例えば脱衣所５Ａに置かれる。本実施形態では、音楽端末５は、浴室リモコン２に通信可能に接続され、音楽端末５で再生されるオーディオ信号を浴室リモコン２のスピーカを通じて出力可能に構成される。本実施形態では音楽端末５はスマートフォンであるが、各個人が所持、携帯する音楽プレーヤ、ノートパソコン、携帯電話機、携帯ゲーム機等でもよい。音楽端末５は、音楽ファイル（音楽データ）、音声ファイル（音声データ）、映像ファイル（映像データ）、静止画ファイル（静止画データ）等のコンテンツを再生するように構成される。本実施形態では音楽ファイル（音楽データ）が再生される。
【００２１】
図２は、給湯器本体１の通信に関連する部分の回路のブロックダイアグラムの一例である。給湯器本体１は、制御部１１、電源部１２、及び通信処理部１３を備えている。
【００２２】
制御部１１は、例えば、ＣＰＵ及びメモリ（ＲＡＭ及びＲＯＭ等）を有するマイクロコントローラ等によって構成され、リモコン２，３から送信されて通信処理部１３を介して受信した制御データや、給湯器本体１の各部に設けられた各種センサの検出データ等に基づいて給湯器本体１の各部の動作を制御する。また、制御部１１は、給湯器本体１の動作状況を監視し、所定時間ごとに現在の動作状況（例えば、燃焼装置の点火情報など）を示すデータを生成し、それを制御データとして通信処理部１３を介してリモコン２，３へ送信する。
【００２３】
電源部１２は、通信ケーブル４を介してリモコン２，３に対して直流電力を供給する。通信処理部１３は、制御データ等をパケット通信方式で送受信する。具体的には、通信処理部１３は、通信ケーブル４を介して受信されるリモコン２，３から送信された制御データ（リモコン２，３で操作された遠隔操作の内容等を給湯器本体１に伝える制御データ）のパケットを復調して得られた制御データを制御部１１へ出力する。一方、制御部１１から入力される制御データ（給湯器本体１の動作状況等をリモコン２，３に伝える制御データ）をパケット化及び変調して通信ケーブル４に送出する。
【００２４】
通信処理部１３および電源部１２は通信ケーブル４に接続されている。すなわち、通信処理部１３からパケット送信のために出力される変調された搬送波は、電力供給のための電圧に重畳される。
【００２５】
図３は、浴室リモコン２（台所リモコン３）の回路のブロックダイアグラムの一例である。なお、台所リモコン３は、浴室リモコン２と同様の回路構成を有し、図３において、かっこ書きの符号が台所リモコン３の構成要素に相当する。
【００２６】
浴室リモコン２（台所リモコン３）は、制御部２１（３１）、電源部２２（３２）、通信処理部２３（３３）、表示部２４（３４）、操作部２５（３５）、音声コーデック（以下、単に、コーデックという。）２６（３６）、第１スピーカアンプ２７（３７）、マイクロフォン２８（３８）、スピーカ２９（３９）、通信部４１（５１）、第２スピーカアンプ４２（５２）、マイクアンプ４３（５３）、第１スイッチ回路４４（５４）及び第２スイッチ回路４５（５５）を備えている。ここでは両リモコン２，３を代表して、浴室リモコン２の回路構成について詳述する。
制御部２１は、例えば、ＣＰＵ及びメモリ（ＲＡＭ及びＲＯＭ等）を有するマイクロコントローラ等によって構成され、浴室リモコン２全体の動作を制御する。
電源部２２は、通信ケーブル４を介して給湯器本体１の電源部１２から直流電力を供給され、浴室リモコン２全体の電源として機能する。
【００２７】
通信処理部２３は、制御データや音声データ等をパケット通信方式で送受信する。制御データの送受信を行う際には、通信処理部２３は、通信ケーブル４を介して受信される給湯器本体１から送信された制御データ（給湯器本体１の動作状況等をリモコン２に伝える制御データ）のパケットを復調して得られた制御データを制御部２１へ出力する。制御部２１では、通信処理部２３から入力される制御データに基づいて表示部２４に表示される情報等を制御する。
【００２８】
さらに、通信処理部２３は、制御部２１から入力される制御データ（操作部２５で操作された遠隔操作の内容等を給湯器本体１に伝える制御データ）をパケット化及び変調して通信ケーブル４に送出する。
【００２９】
通信処理部２３および電源部２２は通信ケーブル４に接続されている。すなわち、通信処理部２３からパケット送信のために出力される変調された搬送波は、給湯器本体１からの電力供給のための電圧に重畳される。
表示部２４は、液晶等の表示画面及びＬＥＤ等を備え、制御部２１により制御され、各種の情報を表示する。
【００３０】
操作部２５は、給湯器本体１を遠隔操作するための各種操作スイッチや、他のリモコン（ここでは台所リモコン３）との通話時に操作される通話スイッチ等を備え、利用者の操作に応じた操作信号を制御部２１へ出力する。
【００３１】
［音声通話機能］
浴室リモコン２は、音声通話機能を実現するために、上記通話スイッチのほか、コーデック２６、第１スピーカアンプ２７、マイクロフォン２８、スピーカ２９、第１スイッチ回路４４及び第２スイッチ回路４５を備えている（図３参照）。
【００３２】
第１スイッチ回路４４は、通話スイッチが押されて音声通話機能が選択されている場合、マイクアンプ４３の出力端子をコーデック２６の入力端子に接続するように切り替える。
【００３３】
第２スイッチ回路４５は、通話スイッチが押されて音声通話機能が選択されている場合、スピーカ２９の入力端子を第１スピーカアンプ２７の出力端子に接続するように切り替える。
【００３４】
コーデック２６は、たとえばＡＤＰＣＭやＤＰＣＭなどの方式により音声信号を符号化および復号化する。第１スピーカアンプ２７は、コーデック２６により復号化された音声信号を処理して第２スイッチ回路４５を介してスピーカ２９へ出力する。スピーカ２９は、第１スピーカアンプ２７からの音声信号を音声に変換して出力する。マイクロフォン２８は、音声をアナログの音声信号に変換してマイクアンプ４３へ出力する。マイクアンプ４３は、アナログの音声信号を増幅して第１スイッチ回路４４を介してコーデック２６へ出力する。
【００３５】
ここで、音声通話機能によってリモコン２，３間で通話を行う際の動作を簡単に説明する。通話を始める際には、例えば、浴室リモコン２及び台所リモコン３のいずれかの通話スイッチが押されることによって音声通話機能が開始される。そして、例えば、浴室の利用者が浴室リモコン２のマイクロフォン２８に向かって音声を発すると、マイクロフォン２８からの音声信号がマイクアンプ４３及びコーデック２６へ入力されて符号化され、符号化された音声信号（音声データ）が通信処理部２３へ入力される。通信処理部２３は、音声データをパケット化及び変調して通信ケーブル４に送出する。
【００３６】
一方、通信処理部２３は、通信ケーブル４を介して受信される台所リモコン３から送信された音声データのパケットを復調して得られた音声データをコーデック２６へ出力する。この音声データはコーデック２６で音声信号に復号化され、第１スピーカアンプ２７へ入力される。第１スピーカアンプ２７に入力された音声信号は増幅等の所定の処理が施されてスピーカ２９へ出力され、スピーカ２９から音声が出力される。
【００３７】
なお、このときにスピーカ２９から出力される音量は、第１スピーカアンプ２７でのボリューム設定（増幅量）によって決定されるが、本実施形態に示す各リモコン２，３の第１スピーカアンプ２７は、部品コストの上昇を抑えるために、ボリューム設定は消音を含めて４段階（具体的には、消音、音量小、音量中、音量大の４段階）に設定可能とされており、ユーザによってこの４段階のいずれかに設定されるようになっている。
【００３８】
上記では浴室リモコン２における動作を説明したが、台所リモコン３における動作も同様である。そして、通話を終了する際には、通話期間中に、浴室リモコン２及び台所リモコン３のいずれかの通話スイッチが押されることによってインターホン機能が終了（休止）する。
【００３９】
［ＢＧＭ機能］
浴室リモコン２は、上記音声通話機能を利用して、浴室リモコン２に通信接続された音楽端末５から出力されるオーディオ信号（本発明の「音声信号」に相当）を、スピーカ２９を通じて出力できるＢＧＭ機能を有する。
【００４０】
浴室リモコン２は、ＢＧＭ機能を実現するために、上記構成のほか、制御部２１、通信部４１、第２スピーカアンプ４２、マイクアンプ４３、第１スイッチ回路４４及び第２スイッチ回路４５を備えている（図３参照）。
第１スイッチ回路４４は、通話スイッチが押されていない場合は、マイクアンプ４３の出力端子を制御部２１の入力端子に接続するように切り替える。
第２スイッチ回路４５は、通話スイッチが押されていない場合は、スピーカ２９の入力端子を第２スピーカアンプ４２の出力端子に接続するように切り替える。
【００４１】
制御部２１は、スピーカ２９から出力された後にマイクロフォン２８に入力された音楽の音量を検出するように構成されている（本発明の「音量検出部」に相当）。更に、制御部２１は、検出された音量と所定の閾値とを比較し、比較した値に基づいて、スピーカ２９の音量を調整するよう構成されている。本実施形態では、制御部２１は、通信部４１を介して、音楽端末５に対し、音量を調整させるための音量調整信号を出力する。
【００４２】
通信部４１は、音楽端末５と接続して通信し、各種の制御コマンドや、音楽データ等を音楽端末５との間で送受信する。通信部４１は、例えばBluetooth（登録商標）の無線送受信機である。通信部４１は音楽端末５から受信した音楽データをデコード、Ｄ／Ａ変換し、第２スピーカアンプ４２へオーディオ信号（音声信号）を出力する。
【００４３】
第２スピーカアンプ４２は、通信部４１から入力されたオーディオ信号（音声信号）を増幅し、スピーカ２９へ出力する。本実施形態では、通信部４１と第２スピーカアンプ４２はBluetoothモジュール５０に実装されている。Bluetoothモジュール５０と制御部２１は、ＵＡＲＴ通信により互いにデータの送受信を行う。
【００４４】
図４は、音楽端末５の回路のブロックダイアグラムの一例である。図４に示すように、音楽端末５は、ＣＰＵ６１と、ＲＡＭ６２と、ＲＯＭ６３と、フラッシュメモリ６４と、再生部６５と、表示部６６と、操作部６７と、通信部６８とを備える。ＣＰＵ６１は、ＲＯＭ６３に格納されている音楽端末５の動作プログラムに基づいて音楽端末５の各部を制御する。また、ＲＯＭ６３には再生アプリケーションプログラムがインストール又は記録されている。ＣＰＵ６１は、再生アプリケーションプログラムをＲＡＭ６２に読み出して実行する。
【００４５】
フラッシュメモリ６４には複数の音楽ファイルが記録されている。再生部６５は、再生アプリケーションプログラムに従って、フラッシュメモリ６４に記録されている音楽ファイルを再生し、通信部６８を介して浴室リモコン２に音楽データを送信する。表示部６６は、再生中の音楽ファイルのコンテンツ情報（曲名、アーティスト名等）を表示する。操作部６７は、ユーザ操作に基づく指示が入力されるものであり、音楽端末５の筐体に設けられた操作ボタンやタッチパネル等である。通信部６８は、浴室リモコン２の通信部４１と通信し、各種の制御コマンドや、音楽データ等を浴室リモコン２との間で送受信する。通信部６８は、例えばBluetoothの無線送受信機である。
【００４６】
ここで、ＢＧＭ機能によって、浴室リモコン３と音楽端末５との間の無線通信により、音楽を再生する際の動作を簡単に説明する。図５は、浴室リモコン２の音楽再生処理の流れを示すフローチャートである。
【００４７】
まず、浴室リモコン２は、音楽端末５との間で、ペアリング処理を実行する（ステップＳ１）。具体的には、浴室リモコン２は、音楽端末５との間で、周知の方法によって、無線を介して相互に接続し、ペアリング情報（アドレスおよび暗号鍵）を相互に交換して登録することによって、ペアリング処理を実行する。その後周知の方法によって、浴室リモコン２は、音楽端末５との間で、Bluetoothの無線通信によって相互に接続される。
【００４８】
次に、浴室リモコン２は、音楽端末５から送信された音楽データを受信するまで待機する（ステップＳ２）。具体的には、浴室リモコン２は、接続した音楽端末５に再生指示を送信する。音楽端末５のＣＰＵ６１は、再生指示を受信すると、音楽ファイルを再生中でない場合、自身が記録している音楽ファイルを再生開始し、再生した音楽データを無線経由で浴室リモコン２に送信する。
【００４９】
そして、浴室リモコン２は、通信部４１により音楽端末５からの音楽データを受信すると（ステップＳ２でＹＥＳ）、第２スピーカアンプ４２によりオーディオ信号（音声信号）を増幅し、スピーカ２９からオーディオ信号（音声信号）を出力する（ステップＳ３）。このようにして浴室リモコン２においてＢＧＭ機能が実現される。なお、このとき利用者は、音楽端末５を音楽再生状態のまま脱衣所に置き、浴室リモコン２のスピーカ２９から音楽が再生されるようにしておく（図１参照）。
【００５０】
次に、浴室リモコン２は、スピーカ２９により出力された後にマイクロフォン２８に入力された音の音量を検出する（ステップＳ４）。具体的には、制御部２１は、第１スイッチ回路４４を介してマイクアンプ４３から供給される電気信号に基づいてマイクロフォン２８に入力された音量をデータ化（出力音量情報を生成）する（図３参照）。ここで、制御部２１での音量のデータ化は、制御部２１に入力される電気信号の電圧値に基づいて行われる。たとえば、制御部２１は、入力された電気信号の電圧値を平均化処理してマイクロフォン２８に入力された音量を５乃至１０段階程度にレベル分けし、その結果を出力音量情報とする。なお、このレベル分けは、少なくとも上述した第１スピーカアンプ１４のボリューム設定（本実施形態では４段階）よりも細かな段階でもってレベル分けされるように設定されている。つまり、第１スピーカアンプ２７で調整可能な音量調整段数よりも大きな分解能でマイクロフォン２８への入力音量（つまり、スピーカ２９からの出力音量）の検出が行われるようになっている。
【００５１】
そして、制御部２１は、ステップＳ４においてデータ化された音量と所定の閾値とを比較する。本実施形態では、デジタルデータとしてレベル分けされた音量と所定の閾値とを比較するが、制御部２１に入力された電気信号のアナログデータを所定の閾値と比較してもよい。制御部２１は、比較した値に基づいて、スピーカ２９の音量を調整する（ステップＳ５）。
【００５２】
制御部２１は、音量が所定の閾値を超える場合は（ステップＳ５でＮＯ）、スピーカ２９の音量を下げる。具体的には、制御部２１は、通信部４１を介して、音楽端末５に対し、音量を下げるための音量調整信号を無線経由で送信する（ステップＳ６）。音楽端末５のＣＰＵ６１は、音量調整信号を受信すると、指示に従って、再生中の音楽ファイルの再生アプリケーションプログラムにおいて音量を下げる。通信制御により、音楽端末５から送信されるオーディオ信号（音声信号）の音量レベルを下げることにより、スピーカ２９の音量を間接的に下げることができる。
【００５３】
そして、制御部２１は、音量が所定の閾値以下となるまで（ステップＳ５でＹＥＳ）、音声信号の出力処理（ステップＳ３）と、音量検出処理（ステップＳ４）と、比較処理（ステップＳ５）と、を繰り返し実行し、音量を確定する（ステップＳ７）。ここで制御部２１は、閾値と同じ値に音量を確定させてもよいし、閾値以下の任意の値に音量を確定させてもよい。その後、浴室２Ａに入室した利用者は、操作部２５のボリューム設定を変更して、より最適な音量に微調整することができる。
【００５４】
上述の通り、浴室リモコン２と接続可能な音楽端末５は、種々のものがあり、リモコン側で音量の初期設定が難しく、機種によっては利用者が浴室２Ａに入ると大音量が出力される可能性がある。
【００５５】
これに対し、本実施形態によれば、給湯器システム１００において音声通話機能を利用したＢＧＭ機能に関して、浴室リモコン２のスピーカ２９から出力される音楽の音量が大きい場合であってもリモコン側で自動的に音量調整できる。つまり、利用者が浴室に入る前にスピーカ２９の音量調整が実現されるので、一旦スピーカ２９から大音量が出力されたとしても入室した利用者が不快な思いを感じることはない。
【００５６】
また、マイクロフォン２８に入力された音に基づいて音量調整処理を行うので、本実施形態のように、音波が反響し易い浴室２Ａに浴室リモコン２が設置されていても、スピーカ２９からの音及びその反響音を正確に拾うことができる。
【００５７】
そして、本実施形態に係る給湯器システム１００は、このような効果を得るにあたり、音声通話機能を実現するために浴室リモコン２に設けられている既設のスピーカ２９とマイクロフォン２８を使い、ハード面では第１スイッチ回路４４，第２スイッチ回路４５を増設するだけの簡単な設計変更で、スピーカ２９の出力音量の検出からその音量調整を実現しているので、部品点数の増加は必要最小限に抑えられ、製造コストの大幅な上昇を伴うことなく上述した効果を得ることができる。
【００５８】
また、本実施形態では、通信制御により、音楽端末５から送信されるオーディオ信号（音声信号）の音量レベルを下げることにより、スピーカ２９の音量を間接的に下げるような構成としたが、浴室リモコン２内部の第２スピーカアンプ４２のゲインを調整することにより、スピーカ２９の音量を直接下げるような構成でもよい（図３参照）。
【００５９】
尚、本実施形態では浴室リモコン２における動作を説明したが、台所リモコン３における動作も同様である。また、浴室リモコン２又は台所リモコン３のいずれか一方のみがＢＧＭ機能を備えていてもよい。
【００６０】
また、本実施形態の浴室リモコン２は、通信部４１が音楽端末５から与えられる音声信号の受信をトリガとして、スピーカ２９からの音出力処理と、音量検出部での音量検出処理と、検出された音量と閾値との比較処理と、を順次実行することにより、上記音量調整処理を好適に実現できる。
【００６１】
また、本実施形態の浴室リモコン２は、音楽端末５に対し、音量調整信号を出力した後、検出される音量が、所定の閾値以下となるまで、音声信号の出力処理（ステップＳ３）と、音量検出処理（ステップＳ４）と、比較処理（ステップＳ５）と、を繰り返し実行することにより、浴室リモコン２のスピーカ２９の音量を確実に抑制できる。
【００６２】
尚、本実施形態では、浴室リモコン２と音楽端末５との間の通信は、無線通信（Bluetooth）としたが、その他の近距離無線通信でもよいし、Wi-Fi（登録商標）等の無線ＬＡＮでもよい。また無線通信に限定されず、有線通信でもよい。
【００６３】
尚、本実施形態では、浴室２Ａに浴室リモコン２が設置されたが（図１参照）、壁や天井が音波を反射しやすい材質で形成された環境下（例えば石の壁で囲まれた部屋等）に設置されてもよい。上記環境下では、音波が反響しやすく、マイクロフォン２８を通じて音量を検出しやすい。これにより、本発明による音量調整効果がより高まる。
【００６４】
尚、本実施形態の給湯器システム１００では、台所３Ａに設置された台所リモコン３が、浴室リモコン２と通信可能に接続されたが、台所以外の場所として、例えば居間に設置されたリモコンと通信可能に接続されてもよい。
【００６５】
尚、本実施形態では、所定の閾値を超える音量を下げるよう調整したが、所定の閾値未満の音量を上げるようにしてもよい。つまり、本実施形態とは逆に過小な音量が出力されるのを抑制してもよい。また所定の閾値は一に限定されず、複数の閾値を設定してもよい。
【００６６】
上記説明から、当業者にとっては、本発明の多くの改良や他の実施形態が明らかである。従って、上記説明は、例示としてのみ解釈されるべきであり、本発明を実行する最良の態様を当業者に教示する目的で提供されたものである。本発明の精神を逸脱することなく、その構造及び機能の一方又は双方の詳細を実質的に変更できる。
【産業上の利用可能性】
【００６７】
本発明は、例えば浴室リモコンと携帯型音楽プレーヤとに好適に適用され得る。
【符号の説明】
【００６８】
１  給湯器本体
２  浴室リモコン
２Ａ  浴室
３  台所リモコン
３Ａ  台所
４  通信ケーブル
５  音楽端末（スマホ）
５Ａ  脱衣所
１００  給湯器システム
【図１】
2017026253.tif 000003
【図２】
2017026253.tif 000004
【図３】
2017026253.tif 000005
【図４】
2017026253.tif 000006
【図５】
2017026253.tif 000007